(57)【要約】【課題】端子台に対して第１のコアの位置決めを確実に行うことができると共に、これらの間に接着剤を塗布する工程を省略することが可能であり、かつ第１のコアと第２のコアとの間の位置決めを行うことが可能な磁性素子を提供すること。【解決手段】第１の鍔部２１、第２の鍔部２２および柱脚部２３を有し、さらに第２の鍔部２２の対向面２２ａの縁部に段差部２５が設けられ、対向面２２ａと反対側の面にコア側位置決め部２６が設けられている第１のコア２０と、巻枠部２４に配置されるコイル３０と、載置面５０ａを有し、段差部２５と係合するガイド部５３が設けられ、載置面５０ａにコア側位置決め部２６と係合して第１のコア２０に対する位置決めを行うベース側位置決め部５２が設けられていて、端末３２が絡げられる端子部５４を具備する端子台５０と、巻枠部２４およびコイル３０の周囲を覆う第２のコア４０と、を具備している。【選択図】図１
2008004740.tif 000002
【特許請求の範囲】
【請求項１】
互いに対向する第１の鍔部および第２の鍔部を有すると共に、この第１の鍔部と第２の鍔部とを連結する柱脚部を有し、さらに上記第２の鍔部のうち上記第１の鍔部と対向する側の対向面の縁部に段差部が設けられ、当該第２の鍔部のうち上記第１の鍔部と対向する対向面と反対側の面にコア側位置決め部が設けられている第１のコアと、
巻線を巻回することにより形成されると共に、上記第１のコアのうち、上記第１の鍔部、上記第２の鍔部および上記柱脚部で囲まれる巻枠部に配置されるコイルと、
上記第１のコアが載置される載置面を有し、この第１のコアの段差部と係合するガイド部が設けられていて、上記載置面に上記コア側位置決め部と係合して上記第１のコアに対する位置決めを行うベース側位置決め部が設けられている端子台と、
上記巻枠部および上記コイルの周囲を覆う第２のコアと、
上記端子台に設けられると共に、上記巻線の端末が絡げられる絡げ端子を有する端子部と、
を具備することを特徴とする磁性素子。
【請求項２】
前記第２のコアは、前記ガイド部によって位置決めされつつ前記第１のコアと対向すると共に、このガイド部は、前記第２のコアを前記端子台に取り付ける際の位置決めとして機能することを特徴とする請求項１記載の磁性素子。
【請求項３】
前記第１のコアまたは前記第２のコアのうち少なくとも一方には、これらが対向する部分に、互いの間隔を狭める突起部が設けられていることを特徴とする請求項１または２記載の磁性素子。
【発明の詳細な説明】
【技術分野】
【０００１】
本発明は、各種の電子機器に実装される磁性素子に関する。
【背景技術】
【０００２】
各種の電子機器が備えるＤＣ／ＤＣコンバータの中には、特許文献１に示すタイプが存在する。このタイプのＤＣ／ＤＣコンバータは、ドラムコア、リングコア、端子台等を備えている。ここで、端子台の中央には、凹部が形成されていて、この凹部には、ドラムコアの凸部が嵌め込まれる。それにより、端子台に対するドラムコアの位置決めが為される状態となっている。
【０００３】
また、特許文献２には、ドラムコアの下鍔部が段差状に設けられていると共に、この段差状のうち下方側（溝付外鍔）を端子台の装着孔に嵌め込む構成が開示されている。この装着孔の内周壁面には突起が設けられていると共に、溝付外鍔には溝が設けられている。そのため、装着孔に下鍔部を嵌め込むと共に、突起を溝に嵌め込むことにより、端子台に対するドラムコアの位置決めが為される。それによって、ドラムコアと端子台との間の接着工程を削減できる、とする技術内容について開示されている。
【０００４】
【特許文献１】特許第２８６８０６４号公報（段落番号００１６、図５、図６等参照）
【特許文献２】実開平６−６０１１１号公報（図３等参照）
【発明の開示】
【発明が解決しようとする課題】
【０００５】
ところで、特許文献１，２に開示されている構成では、ドラムコアと端子台との間の位置決めは行えるものの、位置決めが為されたのみでは、互いに離れる方向に移動するのを防ぐことができない。そのため、両者の間を接着剤等で強固に固定する必要がある。それにより、接着剤の塗布等の工程が必要となっており、その分だけ工数がかさむ状態となっている。
【０００６】
また、特許文献２に開示されている構成では、突起と溝との間の嵌め合いにより、ドラムコアと端子台との間の位置決めが為される。しかしながら、突起と溝との間の嵌合では、嵌め込む方向および個数によっては、固着する力がさほど強くない。そのため、巻線機でドラムコアに巻線を施す場合、その巻線時の高速回転によって生じる回転力で、端子台が外方に向かって飛び出す虞がある。また、巻線の端末を端子ピンに絡げる際には、巻線には引張力が及ぼされるが、その引張力によって端子台とドラムコアとの間の嵌合が外れて、端子台が飛び出す虞もある。
【０００７】
以上のような問題があるため、特許文献２に開示されている構成では、ドラムコアと端子台との間を接着剤等を用いて固定しないと、上記の問題を防ぐことが難しい状態となっている。
【０００８】
また、ドラムコアとリングコアとの間にスペーサを介在させ、このスペーサを、両者の間の磁気ギャップ管理手段として用いる手法が、一般に採用されている。しかしながら、この手法では、スペーサを装着する工程および当該スペーサを接着する工程が必要となっており、工数が増えると共に、装着および接着の際の作業を均一化する必要がある。そのため、精度の高いギャップ管理が困難となっている。
【０００９】
本発明は上記の事情にもとづきなされたもので、その目的とするところは、端子台に対して第１のコアの位置決めを確実に行うことができると共に、これらの間に接着剤を塗布する工程を省略することが可能であり、かつ第１のコアと第２のコアとの間の位置決めを行うことが可能な磁性素子を提供しよう、とするものである。
【課題を解決するための手段】
【００１０】
上記課題を解決するために、本発明は、互いに対向する第１の鍔部および第２の鍔部を有すると共に、この第１の鍔部と第２の鍔部とを連結する柱脚部を有し、さらに第２の鍔部のうち第１の鍔部と対向する側の対向面の縁部に段差部が設けられ、当該第２の鍔部のうち第１の鍔部と対向する対向面と反対側の面にコア側位置決め部が設けられている第１のコアと、巻線を巻回することにより形成されると共に、第１のコアのうち、第１の鍔部、第２の鍔部および柱脚部で囲まれる巻枠部に配置されるコイルと、第１のコアが載置される載置面を有し、この第１のコアの段差部と係合するガイド部が設けられていて、載置面にコア側位置決め部と係合して第１のコアに対する位置決めを行うベース側位置決め部が設けられている端子台と、巻枠部およびコイルの周囲を覆う第２のコアと、端子台に設けられると共に、巻線の端末が絡げられる絡げ端子を有する端子部と、を具備するものである。
【００１１】
このように構成した場合には、第１のコアと端子台とは、段差部およびガイド部を介して、取付固定される。すなわち、段差部とガイド部とは互いに係合し、この係合によって、第１のコアと端子台とは、互いに離間する方向に向かう移動が規制される。また、第１のコアのコア側位置決め部と、端子台のベース側位置決め部も、互いに係合する。それにより、第１のコアと端子台との間の位置決めが為される。このため、第１のコアと端子台とは、互いに離間する方向への移動が規制されると共に、互いのずれが規制されて位置決めが為される。それにより、第１のコアと端子台とは、互いに取付固定される状態となる。すなわち、第１のコアと端子台とは、接着剤等のような固定手段を用いなくても、互いに取付固定される状態となる。それにより、第１のコアと端子台との間に、接着剤を塗布する工程を省略することが可能となる。
【００１２】
また、第１のコアの端子台に対する移動が規制されるので、巻線の端末が断線するのを防止することが可能となる。すなわち、第１のコアが端子台に対して移動する場合には、端末が第２の鍔部または端子台の縁部といった角部に接触すると共に、当該端末に移動による張力が生じる。そのため、端末が断線し易くなるが、上述のように第１のコアと端子台との間の移動が規制されるので、かかる断線を防止することが可能となる。
【００１３】
また、他の発明は、上述の発明に加えて更に、第２のコアは、ガイド部によって位置決めされつつ第１のコアと対向すると共に、このガイド部は、第２のコアを端子台に取り付ける際の位置決めとして機能するものである。
【００１４】
このように構成した場合には、第２のコアは、ガイド部によって位置決めされつつ第１のコアと対向する状態となる。このように、ガイド部が存在することにより、第１のコアと第２のコアとの間の位置決めを、正確かつ容易に行うことが可能となる。このため、第１のコアと第２のコアとの間に、磁気ギャップを容易に形成することが可能となる。また、ガイド部の存在により、磁気ギャップのギャップ管理を容易に行うことも可能となる。
【００１５】
さらに、他の発明は、上述の各発明に加えて更に、第１のコアまたは第２のコアのうち少なくとも一方には、これらが対向する部分に、互いの間隔を狭める突起部が設けられているものである。
【００１６】
このように構成した場合には、第１のコアと第２のコアとの間に存在する磁気ギャップは、突起部の存在する分だけ、寸法が小さくなる。また、第１のコアと第２のコアとの間には、ガイド部が介在し、両者の間の位置決めを正確かつ容易に行うことが可能となっている。そのため、突起部の寸法を適宜調整することにより、磁気ギャップの寸法も適宜調整可能となり、磁性素子における直流重畳特性を調整可能となる。特に、第１のコアと第２のコアとの間の位置決めを正確に行えるので、磁気ギャップの寸法を小さくすることが可能となり、直流重畳特性が良好かつギャップの管理が容易となる磁性素子を実現することが可能となる。
【発明の効果】
【００１７】
本発明によると、端子台に対して第１のコアの位置決めを確実に行うことが可能となる。また、第１のコアと端子台との間に、接着剤を塗布する工程を省略することが可能となる。さらに、第１のコアと第２のコアとの間の位置決めを行うことが可能となる。
【発明を実施するための最良の形態】
【００１８】
以下、本発明の一実施の形態に係る、磁性素子１０について、図１から図６に基づいて説明する。図１は、本実施の形態における磁性素子１０の全体構成を示す斜視図である。また、図２は、磁性素子１０の構成を示す側断面図である。
【００１９】
これら図１および図２等に示すように、磁性素子１０は、ドラムコア２０と、コイル３０と、リングコア４０と、端子台５０と、絡げ端子５４と、実装端子５５と、を具備している。
【００２０】
これらのうち、図２〜図４に示すように、第１のコアとしてのドラムコア２０は、上鍔部２１と、下鍔部２２と、柱脚部２３と、を具備している。上鍔部２１は、第１の鍔部に対応する部分であり、その平面形状が矩形状を為していて、略平板状に設けられている。本実施の形態では、この上鍔部２１は、略正方形状に設けられている。また、この上鍔部２１に対して、下鍔部２２が、所定の距離だけ離間する状態で対向配置されている。この下鍔部２２は、第２の鍔部に対応する部分であり、上述の上鍔部２１と同様に、その平面形状が矩形状に設けられている。
【００２１】
また、上鍔部２１と下鍔部２２の間には、柱脚部２３が設けられている。柱脚部２３は、本実施の形態では、その平面形状が略扁平形状（略楕円形状）に設けられている。また、この柱脚部２３は、上鍔部２１と下鍔部２２とを連結している。この柱脚部２３の周囲には、コイル３０が配置される。なお、以下の説明においては、上鍔部２１、下鍔部２２および柱脚部２３で囲まれる部分を、巻枠部２４とする。この巻枠部２４には、後述するコイル３０が配置される。
【００２２】
また、図２および図３に示すように、この下鍔部２２には、段差部２５が設けられている。段差部２５は、下鍔部２２のうち、図３におけるＸＸ方向の一端側および他端側の縁部にそれぞれ設けられている。また、段差部２５は、一端側および他端側の縁部のうち、上鍔部２１と対向する対向面（上面２２ａ）に設けられている。この段差部２５には、後述するガイド部５３が嵌まり込み、端子台５０とドラムコア２０との間の保持が確実になるように設けられている。
【００２３】
なお、下鍔部２２のうち、図３におけるＸＸ方向と直交するＹＹ方向の長さ寸法は、上鍔部２１よりも僅かに長く設けられている。しかしながら、下鍔部２２のＹＹ方向における長さ寸法は、上鍔部２１と同一の寸法に設けるようにしても良い。
【００２４】
また、下鍔部２２には、コア側位置決め部に対応する位置決め突起２６が設けられている。位置決め突起２６は、図４に示すように、下鍔部２２の下面の中央部分に設けられている。この位置決め突起２６は、柱脚部２３と比較して、十分に小径に設けられている。また、この位置決め突起２６は、後述する凹部５２に嵌まり込む。かかる嵌まり込みを実現するために、位置決め突起２６の高さ寸法はさほど高くはなく、後述するガイド部５３が段差部２５に嵌まり込んだ状態で、端子台５０を若干撓ませるだけの高さ寸法に留まっている。
【００２５】
なお、このドラムコア２０を構成する磁性材料の例としては、ニッケル系のフェライト、マンガン系のフェライト、センダスト（Ｆｅ−Ｓｉ−Ａｌ；鉄−シリコン−アルミニウム）、パーマロイ（Ｆｅ−Ｎｉ）、Ｆｅ−Ｓｉ−Ｃｒ等、種々の磁性材料を材質とすることが可能である。
【００２６】
また、この巻枠部２４には、コイル３０が配置される。このコイル３０は、例えば丸線であるエナメル線（巻線３１）を所定の巻数だけ巻回することにより構成されている。しかしながら、コイル３０は、例えば平角線等のような、丸線以外の巻線３１を巻回することによって構成されていても良い。
【００２７】
また、このドラムコア２０の巻枠部２４の外側には、第２のコアとしてのリングコア４０が配置される。リングコア４０は、図  に示すように、４つの壁面部４１から構成されていて、当該４つの壁面部４１により、リングコア４０は、その外観が枠形状に設けられている。ここで、４つの壁面部４１で囲まれる空間部４２には、上述したドラムコア２０が位置する。それにより、リングコア４０は、ドラムコア２０の巻枠部２４の外側に位置する。そして、リングコア４０は、ドラムコア２０の上鍔部２１および下鍔部２２と、所定の空間（磁気ギャップＧ）を有して対向するように設けられている。
【００２８】
なお、このリングコア４０を構成する磁性材料も、ドラムコア２０の磁性材料と同様に、ニッケル系のフェライト、マンガン系のフェライト、センダスト（Ｆｅ−Ｓｉ−Ａｌ；鉄−シリコン−アルミニウム）、パーマロイ（Ｆｅ−Ｎｉ）、Ｆｅ−Ｓｉ−Ｃｒ等、種々の磁性材料を材質とすることが可能である。
【００２９】
ここで、リングコア４０を構成する４つの壁面部４１のうち、図５におけるＳＳ方向に沿って配置されている一対の壁面部４１ａ，４１ｃは、その外観が矩形のプレート状に設けられている。しかしながら、図５におけるＭＭ方向に沿って配置される一対の壁面部４１ｂ，４１ｄは、当該プレート状を矩形に切り欠いた開口部４３が設けられている点で相違している。この開口部４３は、略矩形状に設けられていて、しかも、ＳＳ方向に沿って十分に長い寸法に設けられている。この開口部４３からは、コイル３０の端末３２が延出され、当該端末３２は、後述する絡げ端子に絡げられる。
【００３０】
なお、リングコア４０の高さ寸法は、上述のドラムコア２０の高さ寸法と略同一となるように設けられている。
【００３１】
また、下鍔部２２の下面２２ｂおよびリングコア４０の下端部分４０ａは、端子台５０の上面５０ａ（載置面に対応）に接触する。この端子台５０は、例えば絶縁性の樹脂を材質として形成されている。また、図６に示すように、端子台５０には、プレート部５１が設けられている。このプレート部５１は、その平面形状が略矩形状となるように設けられている。また、このプレート部５１の上面の中央部分には、ベース側位置決め部に対応する凹部５２が設けられている。凹部５２は、上述の位置決め突起２６が嵌まり込む程度の大きさに設けられている。なお、本実施の形態では、凹部５２は、位置決め突起２６を入り込ませるのに十分な深さ寸法を有しているものの、プレート部５１を貫通しない状態に設けられている。
【００３２】
また、この端子台５０のうち、図６においてＡＡ方向の一端側および他端側には、それぞれガイド部５３が設けられている。このガイド部５３は、長尺状に設けられていると共に、端子台５０の一端側および他端側のそれぞれにおいて、ＢＢ方向に沿う状態が長手となるように設けられている。このガイド部５３には、立上がり部５３ａと、フランジ部５３ｂとが設けられている。これらのうち、立上がり部５３ａは、端子台５０の上面５０ａから上方に向かうように延伸する部分である。また、フランジ部５３ｂは、立上がり部５３ａの上端部分から、上面５０ａに略平行な方向に向かい延伸する部分である。なお、このフランジ部５３ｂは、プレート部５１の中心側に向かうように延伸している。
【００３３】
このガイド部５３は、上述した段差部２５に係止される。このとき、フランジ部５３ｂは、その下面が段差部２５の上面２５ａに当接する状態となり、ドラムコア２０が、端子台５０から離間する方向に向かって移動するのを規制している。このとき、立上がり部５３ａは、側面２２ｃと接触する状態となるのが好ましいが、若干の隙間が存在する状態であっても良い。
【００３４】
また、フランジ部５３ｂが段差部２５の上面２５ａに接触すると共に、位置決め突起２６が凹部５２に嵌まり込むことにより、ドラムコア２０と端子台５０との間の位置決めおよび係止が為される。
【００３５】
また、端子台５０の側面５０ｂ〜５０ｅのうち、図１および図６におけるＢＢ方向の一端側および他端側に位置する側面５０ｂ，５０ｄには、絡げ端子５４が設けられている。この絡げ端子５４は、棒状の突出部分であり、側面５０ｂ，５０ｄの法線方向に向かって突出している。なお、本実施の形態では、絡げ端子５４は、側面５０ｂ，５０ｄのそれぞれに、４つずつ設けられている。なお、この絡げ端子５４と、後述する実装端子５５とは、端子部を構成する。
【００３６】
また、端子台５０の側面５０ｂ〜５０ｅのうち、図１および図６におけるＡＡ方向の一端側および他端側に位置する側面５０ｃ，５０ｅには、実装端子５５が設けられている。実装端子５５は、その側面形状が略Ｌ字形状を為すように設けられている。すなわち、実装端子５５は、側面５０ｃ，５０ｅに沿う部分（側面部５５ａ）と、端子台５０の下面５０ｆに沿う部分（下面部５５ｂ）とから構成されている（図２参照）。かかる２つの部分によって、実装端子５５の側面形状は、略Ｌ字形状を為すように設けられている。なお、本実施の形態においては、この実装端子５５も、側面５０ｃ，５０ｅのそれぞれに、４つずつ設けられている。また、それぞれの実装端子５５は、いずれかの絡げ端子５４と電気的に導通している。そのため、絡げ端子５４にコイル３０の端末３２を絡げ、下面部５５ｂを例えば半田等によって接続固定すると、コイル３０と不図示の実装基板とが電気的に接続される状態となる。
【００３７】
以上のような構成を有する磁性素子１０を製造する場合、まず、ドラムコア２０に対して、端子台５０を取り付ける。この場合、下鍔部２２が端子台５０の上面５０ａと対向する状態とすると共に、段差部２５の一端側（嵌め込みの先端側）とガイド部５３の他端側とが係合するように、位置合わせを行う。
【００３８】
かかる位置合わせが為された後、ドラムコア２０の嵌め込みの先端側を、端子台５０の他端側に向けてスライドさせる。このとき、段差部２５とガイド部５３とが係合しているため、端子台５０は上方へ移動する等の事態が生じずに、ガイド部５３に沿って良好にスライドが案内される。
【００３９】
ここで、ドラムコア２０をスライドさせていくと、位置決め突起２６がプレート部５１に近づいていき、スライドの継続によって位置決め突起２６はプレート部５１の縁部と衝突する。このとき、上面５０ａの中央が凹となるように、端子台５０を若干撓ませると共に、ドラムコア２０のスライドを継続させる。すると、位置決め突起２６が、端子台５０の撓みによる弾性力に抗しつつ、上面５０ａに当接しながら移動する。
【００４０】
そして、位置決め突起２６が上面５０ａの中央部分に到達すると、当該位置決め突起２６は、凹部５２の上方に位置する。このとき、位置決め突起２６と上面５０ａとの間の当接が解除されるため、端子台５０の撓みも解除され、上面５０ａと下面２２ｂとが当接する。また、かかる撓みの解除により、位置決め突起２６は、凹部５２に嵌まり込む状態となる。
【００４１】
以上のようにして、ドラムコア２０が端子台５０に対して取り付けられる。この後に、巻枠部２４にコイル３０を配置する。この場合、巻枠部２４に所定の回数だけ、例えば巻線機を用いて巻線３１を巻回することにより、図２に示すようなコイル３０が形成される。このとき、端末３２は、所定の長さ寸法だけ、コイル３０の巻回部分から突出する状態としておく。また、以下に説明する端末３２の絡げに先立って、端子台５０に対して、絡げ端子５４と実装端子５５とを、予め取り付けておくのが好ましい。
【００４２】
続いて、端末３２を、絡げ端子５４に絡げる。このとき、端末３２と絡げ端子５４とを、例えば半田付けして、両者を強固に固定すると共に、端末３２のエナメル部分を溶かすようにしても良いが、磁性素子１０を実装基板に実装する際に、半田付けを行うようにしても良い。
【００４３】
続いて、端子台５０に対してリングコア４０を取り付ける。この場合、まず空間部４２の内壁面に、立上がり部５３ａの外面側が接触する状態とする。続いて、リングコア４０とドラムコア２０の隙間部分に接着剤を充填する。この接着剤の充填により、リングコア４０は、ドラムコア２０および端子台５０に対して、取付固定される。なお、接着剤は、リングコア４０に予め塗布される状態としても良い。
【００４４】
以上のようにして、磁性素子１０が完成する。この後に、例えば半田付け等によって、磁性素子１０を実装基板に実装する。
【００４５】
このような構成の磁性素子１０によれば、段差部２５とガイド部５３との間の係合により、ドラムコア２０と端子台５０とが互いに離間する方向へ移動するのを規制することが可能となる。また、本実施の形態の磁性素子１０においては、上鍔部２１および下鍔部２２は、矩形状に設けられているため、ドラムコア２０の回転方向における位置決めを行う必要がある。ここで、上述のように、段差部２５とガイド部５３とが係合することにより、ドラムコア２０の回転方向における位置決めも良好に行うことが可能となる。
【００４６】
また、位置決め突起２６を凹部５２に嵌め込むことにより、ドラムコア２０と端子台５０とが、互いに位置ずれしない状態で、良好に取付固定することが可能となる。すなわち、ドラムコア２０と端子台５０とは、接着剤等のような固定手段を用いなくても、互いに取付固定することが可能となる。それにより、両者の間に、接着剤を塗布したり、塗布された接着剤を乾かす等する必要がなくなり、磁性素子１０の製造に要する工数を削減することが可能となる。
【００４７】
また、本実施の形態では、段差部２５とガイド部５３とが係合する状態で、ドラムコア２０をガイド部５３に沿ってスライドさせ、位置決め突起２６を凹部５２に嵌め込んでいる。それにより、ドラムコア２０と端子台５０とを、位置ずれしない状態で良好に取付固定することが可能となる。また、ドラムコア２０をスライドさせるだけで、ドラムコア２０と端子台５０とが取付固定されるので、磁性素子１０の製造時における作業性を良好にすることが可能となる。
【００４８】
また、段差部２５とガイド部５３との間の係合、および位置決め突起２６と凹部５２との間の嵌合により、ドラムコア２０が端子台５０に対して移動するのが規制されるので、巻線３１の端末３２が断線するのを防止することが可能となる。すなわち、ドラムコア２０と端子台５０との間の移動が規制されておらず、ドラムコア２０が端子台５０に対して移動する場合には、端末３２が下鍔部２２またはプレート部５１の縁部といった角部に接触すると共に、当該端末３２に移動による張力が生じる。そのため、端末３２が断線し易くなる。しかしながら、本実施の形態における磁性素子１０では、ドラムコア２０と端子台５０との間の移動が規制されるので、かかる断線を防止することが可能となる。
【００４９】
また、本実施の形態では、ガイド部５３は、リングコア４０を端子台５０に取り付ける際の位置決めとしても機能している。それにより、ドラムコア２０とリングコア４０との間の位置決めを、正確かつ容易に行うことが可能となる。このため、ドラムコア２０とリングコア４０との間に、磁気ギャップＧを容易に形成することが可能となる。また、ガイド部５３の存在により、磁気ギャップＧのギャップ管理を容易に行うことも可能となる。
【００５０】
以上、本発明の一実施の形態に係る磁性素子１０について説明したが、本発明はこれ以外にも種々変形可能となっている。以下、それについて述べる。
【００５１】
上述の実施の形態においては、上鍔部２１または壁面部４１のうち少なくとも一方に、互いの間隔（磁気ギャップＧ）を狭めるための突起部を設けるようにしても良い。この状態を、図７に示す。なお、この図７においては、壁面部４１に突起部Ｐが設けられている場合が示されている。このように、突起部Ｐを設ける場合には、磁気ギャップＧは、突起部Ｐの存在する分だけ、寸法が小さくなる。そのため、突起部Ｐの寸法を適宜調整することにより、磁気ギャップＧの寸法も適宜調整可能となる。それにより、磁性素子１０において、磁気飽和が生じるのを抑えることが可能となり、磁性素子１０における直流重畳特性を調整可能となる。
【００５２】
特に、上述の実施の形態では、リングコア４０は、ガイド部５３によって位置決めされ、ドラムコア２０とリングコア４０との間の位置決めを、正確かつ容易に行うことが可能となっている。そのため、磁気ギャップＧの寸法を小さくすることが可能となり、直流重畳特性が良好な磁性素子１０を実現することが可能となる。
【００５３】
なお、磁気ギャップＧの寸法を、より正確に調整する必要がある場合、当該磁気ギャップＧに、ギャップ管理用のスペーサを設置するようにしても良い。
【００５４】
また、上述の実施の形態では、コイル３０は、１つのみ存在する場合について示されている。しかしながら、コイル３０の個数は１つには限られず、巻枠部２４に２つ以上配置する構成を採用しても良い。
【００５５】
また、上述の実施の形態では、第１のコアに、上鍔部２１および下鍔部２２を有するドラムコア２０を対応させた場合について説明している。しかしながら、第１のコアは、ドラムコア２０には限られず、１つの鍔部のみを有するＴ字型コアを、第１のコアに対応させても良い。なお、Ｔ字型コアを第１のコアに対応させる場合、鍔部は端子台５０側に位置する。また、Ｔ字型コアのうち、鍔部が設けられていない側には、プレート状の蓋コアを取り付けるようにするのが好ましい。この場合、Ｔ字型コアと蓋コアとで、ドラム型のコアを構成する。このとき、Ｔ字型コアと蓋コアとが、第１のコアに対応する。
【００５６】
また、上述の実施の形態では、ドラムコア２０と端子台５０との間の取付固定は、段差部２５とガイド部５３との間の係合、および位置決め突起２６と凹部５２との間の嵌め込みによって実現している。しかしながら、かかる取付固定において、より取り付け強度を高める必要がある場合には、ドラムコア２０と端子台５０との間を、更に接着剤によって固定するようにしても良い。
【００５７】
また、上述の実施の形態では、コア側位置決め部として凸状の位置決め突起２６を用いると共に、ベース側位置決め部として凹状の凹部５２を用いている。しかしながら、コア側位置決め部とベース側位置決め部との間の凹凸関係は、かかる位置決め突起２６および凹部５２を用いる場合には限られず、これらの凹凸関係を逆にしても良い。また、コア側位置決め部およびベース側位置決め部に、凹状の部分と凸状の部分との両方を、それぞれ有する構成を採用しても良い。
【００５８】
また、上述の実施の形態では、ガイド部５３は長尺状に設けられていて、しかもプレート部５１の略全長に亘るように設けられている。しかしながら、ガイド部５３は、プレート部５１の略全長に亘ると共に長尺状に設けられる必要はなく、比較的短い形状のガイド部が、適宜の間隔で配置される構成を採用しても良い。
【００５９】
また、上述の実施の形態に係る磁性素子１０は、ＤＣ／ＤＣコンバータのみならず、トランス、ノイズフィルタ等、各種の用途に用いることが可能である。
【産業上の利用可能性】
【００６０】
本発明の磁性素子は、電気機器の分野において利用することができる。
【図面の簡単な説明】
【００６１】
【図１】本発明の一実施の形態に係る磁性素子の構成を示す斜視図である。
【図２】図１の磁性素子の構成を示す側断面図である。
【図３】図１の磁性素子のうち、ドラムコアの構成を示す斜視図であり、ドラムコアを上方から見た状態を示す図である。
【図４】図１の磁性素子のうち、ドラムコアの構成を示す斜視図であり、ドラムコアを下方から見た状態を示す図である。
【図５】図１の磁性素子のうち、リングコアの構成を示す斜視図である。
【図６】図１の磁性素子のうち、端子台の構成を示す斜視図である。
【図７】図１の磁性素子の変形例に係り、リングコアに突起部が設けられている構成を示す平面図である。
【符号の説明】
【００６２】
１０…磁性素子
２０…ドラムコア（第１のコアに対応）
２１…上鍔部（第１の鍔部に対応）
２２…下鍔部（第２の鍔部に対応）
２３…柱脚部
２４…巻枠部
２５…段差部
２６…位置決め突起（コア側位置決め部に対応）
３０…コイル
３１…巻線
４０…リングコア（第２のコアに対応）
５０…端子台
５１…プレート部
５２…凹部（ベース側位置決め部に対応）
５３…ガイド部
５４…絡げ端子（端子部の一部に対応）
５５…実装端子（端子部の一部に対応）
Ｇ…ギャップ
【図１】
2008004740.tif 000003
【図２】
2008004740.tif 000004
【図３】
2008004740.tif 000005
【図４】
2008004740.tif 000006
【図５】
2008004740.tif 000007
【図６】
2008004740.tif 000008
【図７】
2008004740.tif 000009